(57)【要約】      （修正有）【課題】  簡単な構成で防水を行うことができ、その防水のために組み立て工程が増加することがない。【解決手段】  ケースが、本体部２と蓋４とからなる。本体部２内に、異なる指向性を示すように複数のダイポールアンテナが配置されている。本体部２内に指向性調整部５２が設けられ、ダイポールアンテナ２６の出力信号を合成して、合成指向性を、所望の指向性とする。本体部２は、その内部に、指向性調整部５２を包囲するように本体部２と一体に第１区画壁５４を設けてある。【選択図】        図１
2006025110.tif 000002
【特許請求の範囲】
【請求項１】
開口を有する本体部と、前記開口を被蓋する蓋とを、有するケースと、
前記本体部内に、異なる指向性を示すように配置された複数の指向性アンテナと、
前記本体部内に設けられ、前記複数の指向性アンテナの出力信号を合成して、前記複数の指向性アンテナの合成指向性を、所望の指向性とする指向性調整部とを、
具備し、前記本体部は、その内部に、前記指向性調整部を包囲するように前記本体部と一体に第１区画壁を、設けたアンテナ装置。
【請求項２】
請求項１記載のアンテナ装置において、前記蓋にも、前記指向性調整部を包囲するように第１区画壁よりも外側に第２区画壁が設けられているアンテナ装置。
【請求項３】
請求項１または２記載のアンテナ装置において、前記本体部に水抜き孔が形成されているアンテナ装置。
【請求項４】
請求項１乃至３いずれか記載のアンテナ装置において、前記第１区画壁が、前記複数の指向性アンテナに接触し、これら指向性アンテナを支持しているアンテナ装置。
【請求項５】
請求項１乃至４いずれか記載のアンテナ装置において、前記複数の指向性アンテナは、
前記本体部内に、それぞれの先端部が外方側に位置するように設けられている２つの第１エレメントと、
２つの第１エレメントの先端部に電気的にそれぞれの基端部が接続された２つの第２エレメントと、
各第２エレメントの基端部が、それぞれの基端部に位置するように内部に第２エレメントがそれぞれ収容され、各第２エレメントの基端部が各第１エレメントの先端部と電気的に接続される状態に、基端部がそれぞれ前記本体部内に挿入されている２つのエレメントケースと、前記各エレメントケースの長さ方向の中途の周縁部に形成された第１突状部とを、
具備し、前記ケースは、前記各エレメントケースの挿入口を有し、これら挿入口に前記各エレメントケースをそれぞれ挿入した状態で各第１突状部に面接触する第２突状部が前記挿入口の周囲にそれぞれ形成されているアンテナ装置。
【請求項６】
請求項５記載のアンテナ装置において、前記各挿入口よりもそれぞれ奥側において前記挿入口の幅方向に横切って前記蓋の内面に設けられ、前記エレメントケースの上面に接触している第３突状部を少なくとも有するアンテナ装置。
【請求項７】
請求項５または６記載のアンテナ装置において、前記各エレメントケースの基端部の下部から上方に立ち上がり、その立ち上がりの上端から奥に向かって非下降に伸びる段部が形成されているアンテナ装置。
【発明の詳細な説明】
【技術分野】
【０００１】
本発明は、アンテナ装置に関し、特に、ケースに収容されたアンテナエレメントの防水に関する。
【背景技術】
【０００２】
従来、上記のようなアンテナ装置の一例が特許文献１に開示されている。このアンテナ装置は、平面形状が概略八角形状のケース内に、４本のＵＨＦ帯用の八木形アンテナが、異なる方向から到来する電波をそれぞれ受信するように設けられている。更に、ケース内には、十字状にＶＨＦ帯受信用の合計４本の伸縮可能なロッドアンテナが設けられている。これらロッドアンテナは、このアンテナの設置時に、各ロッドアンテナの先端をケースから引き出して使用される。ケースは、上面が開口した本体部と、この上部開口を被蓋する蓋とからなる。
【０００３】
【特許文献１】特開２００１−３６３２７号公報
【発明の開示】
【発明が解決しようとする課題】
【０００４】
上記のようなアンテナ装置では、ケースが本体部と蓋とから構成されているので、このアンテナ装置を使用している状態において、本体部と蓋との接触部分から内部に水が侵入する可能性がある。特に、上述した各八木形アンテナまたは各ロッドアンテナからの信号を合成し、これらアンテナの合成指向性を変化させるための電子回路が本体部の内部に設けられている場合には、この電子回路に水がかかることを防止する必要がある。そのためには、本体部と蓋との接触部分にパッキング等を付設することが考えられるが、新たにパッキングという部品を負荷しなければならず、アンテナ装置の構成が複雑になる上に組み立て工程が増加する。
【０００５】
本発明は、簡単な構成で防水を行うことができ、かつその防水のために組み立て工程が増加することがないアンテナ装置を提供することを目的とする。
【課題を解決するための手段】
【０００６】
本発明の一態様によるアンテナ装置は、ケースを有している。このケースは、開口を有する本体部と、前記開口を被蓋する蓋とを、備えている。本体部は、その上部に上記開口を有するものが望ましい。本体部は、底壁部とそれの周囲を包囲する周壁とを備えるものが望ましい。ケースは、扁平であることが望ましい。前記本体部内に、異なる指向性を示すように複数の指向性アンテナが配置されている。複数の指向性アンテナは、例えば第１の周波数帯用の複数の指向性アンテナと、第２の周波数帯用の複数の指向性アンテナとを備えることが望ましく、第１の周波数帯用の複数の指向性アンテナがそれぞれ異なる指向性を示すように配置され、第２の周波数帯用の複数の指向性アンテナがそれぞれ異なる指向性を示すように配置されている。前記本体部内に指向性調整部が設けられている。指向性調整部は、前記複数の指向性アンテナの出力信号を合成して、前記複数の指向性アンテナの合成指向性を、所望の指向性とする。この所望の指向性の方向を任意の方向に変更可能に指向性調整部を構成することが望ましい。前記本体部内に、前記指向性調整部を包囲するように本体部と一体に第１区画壁が設けられている。
【０００７】
この構成では、第１区画壁が指向性調整部を包囲するように本体部に形成されているので、本体部と蓋との隙間から水が本体部内に侵入したとしても、第１区隔壁によってそれ以上に侵入することが阻止される。従って、指向性調整部が水に濡れることはない。しかも、第１区画壁は本体部と一体に形成されているので、第１区画壁を設けるための特定の工程は不要である。
【０００８】
前記蓋にも、前記指向性調整部を包囲するように、第１区画壁よりも外側に第２区画壁を設けることができる。この構成では、外部からの風等により吹き付けられた水滴が蓋側に付着したとしても、第２区画壁で阻止され、本体部側に落ちる。本体部側には第１区画壁が第２の区画壁よりも内側に設けられているので、落下した水滴は、それ以上内部に侵入することはない。
【０００９】
前記本体部に水抜き孔を形成することもできる。水抜き孔は、第１区画壁よりも外方に複数設けることが望ましく、更に、第１区画壁よりも内側に複数設けることもできる。
【００１０】
このように水抜き孔を本体部に形成すると、たとえ本体部内に侵入した水も水抜き孔から外部に放出される。従って、本体部内の湿度が上昇することがなく、このアンテナの周囲温度の低下が生じても、ほとんど結露することがない。
【００１１】
第１区画壁が、前記複数の指向性アンテナに接触し、これら指向性アンテナを支持することができる。この構成では、第１区画壁が各指向性アンテナの支持体としても機能するので、別途支持体を設ける必要がない。
【００１２】
前記複数の指向性アンテナは、２つの第１エレメントを有するものとできる。この場合、２つの第１エレメントは、本体部内に、２つの第１エレメントの先端部が外方側に位置するように設けられている。２つの第１エレメントの先端部に、２つの第２エレメントの基端部が、電気的にそれぞれ接続されている。各第２エレメントはエレメントケースに収容されている。この収容状態において、第２エレメントの基端部が、各エレメントケースの基端部に位置している。各第２エレメントの基端部が各第１エレメントの先端部と電気的に接続される状態に、２つのエレメントケースの基端部がそれぞれ前記本体部内に挿入されている。各エレメントケースの長さ方向の中途の周縁部には第１突状部が形成されている。前記ケースは、前記各エレメントケースの挿入口を有し、これら挿入口に前記各エレメントケースをそれぞれ挿入した状態で各第１突状部に面接触する第２突状部が前記挿入口の周囲にそれぞれ形成されている。
【００１３】
この構成では、指向性アンテナが、ケース内にある第１エレメントと、ケース外のエレメントケース内に収容された第２エレメントとからなるので、第２エレメントをケースから分離可能である。従って、このアンテナの梱包時に、その梱包が嵩張らない。しかし、このアンテナの使用時には、第２エレメントを収容したエレメントケースをケースに挿入しなければならないが、この挿入部分から水がケース内に侵入する可能性がある。そこで、エレメントケースの基端部に第１突状部を設け、ケースの挿入口に第２突状部を設け、第１突状部と第２突状部とを接触させることによって、第２突状部よりも奥に水が侵入することを防止している。
【００１４】
前記蓋の内面には、少なくとも第３突状部を形成することもできる。第３突状部は、前記各挿入口よりもそれぞれ奥側において前記挿入口の幅方向に横切って位置し、前記エレメントケースの上面に接触している。この第３突状部よりもさらに奥側に同様な突状部を形成することもできる。
【００１５】
このように少なくとも第３突状部を形成すると、第１及び第２突状部の面接触だけでは水の侵入を防止できなかった場合に、エレメントケースの上部を奥に向かって進行する水は、第３突状部によって阻止され、第３突状部よりも奥に水が進行することが防止できる。第３突状部よりも奥に同様な突状部を設けた場合には、この奥の突状部よりもさらに奥には殆ど水が侵入することがない。
【００１６】
さらに、前記各エレメントケースの基端部の下部から上方に立ち上がり、その立ち上がりの上端から奥に向かって非下降、例えば水平または上方に伸びる段部を形成することもできる。この段部に近傍の本体部に水抜き孔を形成することが望ましい。
【００１７】
このように構成すると、第１及び第２突状部の面接触だけでは水の侵入を防止できなかった場合に、エレメントケースの下部を奥に向かって進行する水は、この段部で阻止され、これよりも奥に進行することがない。
【発明の効果】
【００１８】
以上のように、本発明によるアンテナ装置では、区画壁という簡単な構成で防水を行うことができ、しかも、区画壁は本体部に一体に形成されているので、このアンテナ装置の組み立て工程が増加することがない
【発明を実施するための最良の形態】
【００１９】
本発明の１実施形態のアンテナ装置は、図１に示すように、本体部２を有している。この本体部２は、例えば合成樹脂製で、その平面形状が概略八角形状のもので、周縁部から中央に向かうに従って下方に傾斜し、上部が開口している。この上部開口を同じく平面形状が八角形状の蓋４が被蓋している。蓋４も、例えば合成樹脂製で、周縁部から中央に向かうに従って上方に傾斜している。これら本体部２と蓋４によってケース１が構成されている。
【００２０】
本体部２は、図２に示すように底壁部２ａを有し、その周囲に周壁部２ｂを有している。この周壁部２ｂは、図２に示すように、１つの仮想直線の両端部にこの仮想直線と直交するように１対の曲線状の端部６ａ、６ａを有している。さらに、周壁部２ｂは、この仮想直線と直交する別の仮想直線の両端に、この別の仮想直線と直交するように１対の曲線状の端部６ｂ、６ｂを有している。これら端部６ａ、６ａ、６ｂ、６ｂ間を繋ぐように円弧状縁部８、８、８、８が形成されている。これら端部６ａ、６ｂ、円弧状縁部８は、いずれも底壁部２ａに対してほぼ垂直に上方に立ち上がるように、底壁部２ａの周縁に、これと一体に形成されている。
【００２１】
蓋４も、図１に示すように、本体部２と同様に上壁部４ａ、周壁部４ｂから構成されている。周壁部４ｂは、２対の直交する端部１０ａ、１０ａ、１０ｂ、１０ｂと、これらを繋ぐ円弧状縁部１２、１２、１２、１２とからなり、上壁部４ａに対してほぼ垂直に上壁部４ａの周縁に、これと一体に形成されている。
【００２２】
図２に示すように、本体部２内には、端部６ａ、６ａ間を跨ぐように、指向性アンテナ、例えばダイポールアンテナ１４が配置されている。このダイポールアンテナ１４と所定の間隔を隔てて平行に指向性アンテナ、例えばダイポールアンテナ１６が配置されている。これらダイポールアンテナ１４、１６は、それぞれ２つのエレメント１４ａ、１４ｂ、１６ａ、１６ｂから構成されている。
【００２３】
同様に、本体部２内には、端部６ｂ、６ｂ間を跨ぐように、指向性アンテナ、例えばダイポールアンテナ１８が配置されている。このダイポールアンテナ１８と所定の間隔を隔てて平行に指向性アンテナ、例えばダイポールアンテナ２０が配置されている。これらダイポールアンテナ１８、２０も、それぞれ２つのエレメント１８ａ、１８ｂ、２０ａ、２０ｂから構成されている。
【００２４】
各エレメント１４ａ、１４ｂ、１６ａ、１６ｂ、１８ａ、１８ｂ、２０ａ、２０ｂは、長方形状のプリント基板であって、これをエッチングすることによって線路が形成されている。これら線路の長さは、第１の周波数帯、例えばＵＨＦ帯のテレビジョン放送信号を受信可能に選択されている。これら各エレメント１４ａ、１４ｂ、１６ａ、１６ｂ、１８ａ、１８ｂ、２０ａ、２０ｂは、それらの表面が底壁部２ａに対して垂直となるように配置されている。
【００２５】
ダイポールアンテナ１４、１６は、端部６ｂ、６ｂを繋ぐ方向に指向性を示し、ダイポールアンテナ１８、２０は、端部６ａ、６ａを繋ぐ方向に指向性を示す。即ち、ダイポールアンテナ１４、１６の指向性と、ダイポールアンテナ１８、２０の指向性とは異なる方向である。
【００２６】
本体部２の端部６ａ、６ａの距離、端部６ｂ、６ｂ間の距離をそれぞれ短くして、本体部２を小型化するために、エレメント１４ａ、１８ｂの内方端部、エレメント１４ｂ、２０ｂの内方端部、エレメント１６ａ、１８ａの内方端部、エレメント１６ｂ、２０ａの内方端部が各ボス２２上で交差している。これら各ボス２２は、底壁部２ａから上方に向かって突出するように、底壁部２ａと一体に形成されている。各ボス２２は、これらエレメントを支持している。
【００２７】
図１に示すように、ダイポールアンテナ１４、１６の間に、これらと平行に指向性アンテナ、例えばダイポールアンテナ２４が配置されている。同様に、ダイポールアンテナ１８、２０の間に、これらと平行に指向性アンテナ、例えばダイポールアンテナ２６が配置されている。これらダイポールアンテナ２４、２６は、第２の周波数帯、例えばＵＨＦ帯のテレビジョン放送信号を受信可能なものである。ダイポールアンテナ２４は、端部６ｂ、６ｂ方向に指向性を示し、ダイポールアンテナ２６は端部６ａ、６ａ方向に指向性を示す。即ち、異なる方向にダイポールアンテナ２４、２６は指向性を示す。
【００２８】
ダイポールアンテナ２４は、本体部２内に収容されている第１エレメント２４ａ、２４ｂを有している。また、ダイポールアンテナ２４は、エレメントケース２８ａ、２８ｂ内に収容された第２エレメント２４ｃ、２４ｄも有している。
【００２９】
第１エレメント２４ａ、２４ｂも、プリント基板をエッチングすることによって、線路が形成されたもので、その表面が底壁部２ａと平行に配置されている。これら第２エレメント２４ａ、２４ｂは、それらの内方端部側において、底壁部２ａから上方に突出するように底壁部２ａに一体に形成された支持体３０ａ、３０ｂによって支持されると共に、その先端部、即ち外方端部側に底壁部２ａから上方に突出するように底壁部２ａに一体に形成されているボス３２ａ、３２ｂによっても支持されている。
【００３０】
第２エレメント２４ｃ、２４ｄも、図３に示すように、それぞれ２つのプリント基板３４ａ、３４ｂ、３６ａ、３６ｂをエッチングすることによって形成した線路を短縮コイル３８ａ、３８ｂによって接続したもので、それらの表面が第１エレメント２４ａ、２４ｂと同一直線上に位置し、これらとほぼ平行となるようにエレメントケース２８ａ、２８ｂ内にその長さ方向に沿って収容されている。
【００３１】
このエレメントケース２８ａ、２８ｂの基端部が、図１乃至図３に示すように、本体部２の端部６ａ、６ａ、蓋４の端部１０ａ、１０ａに形成した挿通孔４０ａ、４０ｂを通って本体部２内に侵入している。ボス３２ａ、３２ｂ上で、プリント基板３４ａ、３４ｂが第１エレメント２４ａ、２４ｂと電気的に接触している。そして、ボス３２ａ、３２ｂの下側から挿通された固定手段、例えばねじ４２ａ、４２ｂによって機械的にも第１エレメント２４ａ、２４ｂに結合されている。
【００３２】
図１に示すように、エレメントケース２８ａ、２８ｂの基端部の外周部に一体に外方に向かって突出する環状の第１突状部４４ａ、４４ｂが形成されている。挿通孔４０ａ、４０ｂの内周面には、図５及び図６に拡大して示すように、内側に向かって突出する第２突状部４６ａ、４６ｂが一体に形成されている。そして、上述したようにエレメントケース２８ａ、２８ｂを挿入口４０ａ、４０ｂに挿入した状態では、第１突状部４４ａ、４４ｂと第２突状部４６ａ、４６ｂがそれぞれ面接触し、挿入口４０ａ、４０ｂから雨水等が、ケース１内に侵入することを防止している。
【００３３】
さらに、図５及び図６に示すように、挿入口４０ａ、４０ｂの奥側では、蓋４の内面に第３突状部４７ａ、４７ｂが形成されている。これら第３突状部４７ａ、４７ｂは、挿入口４０ａ、４０ｂを幅方向に横切るように、かつエレメントケース２８ａ、２８ｂの上面に接触するように形成されている。
【００３４】
同様に、第３突状部４７ａ、４７ｂよりも更に奥にあるねじ４２ａ、４２ｂの先端が挿通される蓋４の内面部分の両側にも、挿入口４０ａ、４０ｂを幅方向に横切って第４突状部４９ａ、４９ｂが形成されている。
【００３５】
このように第３及び第４突状部４７ａ、４７ｂ、４９ａ、４９ｂが形成されているので、たとえ第１及び第２の突状部４４ａ、４４ｂ、４６ａ、４６ｂの面接触のみでは水の侵入を防止できなかった場合に、エレメントケース２８ａ、２８ｂの上面を奥に向かって進行する水は、第３突状部４７ａ、４７ｂによって、それ以上の進行を阻止される。仮に、第３突状部４７ａ、４７ｂによって水の進行が阻止できなかったとしても、更に奥にある第４突状部４９ａ、４９ｂによって水の進行が阻止される。
【００３６】
さらに、エレメントケース２８ａ、２８ｂの基端部の下部には、図５及び図６に示すように段部２９ａ、２９ｂが形成されている。この段部２９ａ、２９ｂは、エレメントケース２８ａ、２８ｂの基端部下部から上部に、例えば垂直に立ち上がり、その立ち上がりの上端から、更に奥に向かって、非下降、例えば水平に伸びている。
【００３７】
このように段部２９ａ、２９ｂを設けてあるので、たとえ第１及び第２の突状部４４ａ、４４ｂ、４６ａ、４６ｂの面接触のみでは水の侵入を防止できなかった場合に、エレメントケース２８ａ、２８ｂの下部を奥に向かって進行する水は、段部２９ａ、２９ｂの立ち上がり部で阻止され、それ以上に奥に進行することはない。この段部２９ａ、２９ｂの立ち上がり部に貯まった水は、やがて落下し、その近傍の本体部２に形成されている後述する水抜き孔５８から外部に放出される。
【００３８】
ダイポールアンテナ２６も、本体部２内に収容されている第１エレメント２６ａ、２６ｂと、エレメントケース５０ａ、５０ｂ内に収容された第２エレメント２６ｃ、２６ｄを有している。これら第１エレメント２６ａ、２６ｂ、エレメントケース５０ａ、５０ｂ、第２エレメント２６ｃ、２６ｄは、上述したダイポールアンテナ２４の第１エレメント２４ａ、２４ｂ、第２エレメント２４ｃ、２４ｄ、エレメントケース２８ａ、２８ｂと同様に構成され、同様に支持されているので、その詳細な説明は省略する。無論、エレメントケース５０ａ、５０ｂには、エレメントケース２８ａ、２８ｂの第１の突状部４４ａ、４４ｂと同様に第１の突状部５２ａ、５２ｂが形成され、本体部２の端部６ｂ、６ｂに設けられた挿入口５４ａ、５４ｂには、挿入口４０ａ、４０ｂの第２の突状部４６ａ、４６ｂと同様に第２の突状部５６ａ、５６ｂが形成され、蓋４側に第３の突状部５５ａ、５５ｂ、第４の突状部５７ａ、５７ｂが形成され、エレメントケース５０ａ、５０ｂの基端部下部には、段部２９ａと同様な段部が形成されている。
【００３９】
第１エレメント２４ａ、２４ｂ、２６ａ、２６ｂの内方端部、即ち本体部２の中央部には、指向性調整部５２が配置されている。指向性調整部５２は、ＵＨＦ帯用のダイポールアンテナ１４、１６、１８、２０の受信信号の位相調整及びレベル調整を行って、これらアンテナ１４、１６、１８、２０の合成指向性を所望の方向に向けるための電子回路と、ＶＨＦ帯用のダイポールアンテナ２８、５０の受信信号のレベル調整を行って、これらアンテナ２８、５０の合成指向性を所望の方向に向けるための電子回路とを、備えている。これら２つの合成指向性の方向は、指向性調整部５２によって任意の方向に可変できる。
【００４０】
図２に示すように、本体部２内の底壁部２ａには、指向性調整部５２を包囲するように第１区画壁５４が、底壁部２ａと一体に形成されている。第１区画壁５４では、それの平面形状が、本体部２の周壁部２ｂと相似の概略八角形状に形成され、その高さ寸法は、ほぼ周壁部２ｂの高さ寸法と同一である。第１区隔壁５４の内面側には、第１区画壁５４への複数の補強体５６が間隔をあけて形成されている。この第１区画壁５４は、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂとそれぞれ接触し、これらの支持体としても機能している。また、第１区画壁５４の内外の底壁部２ａには、図２及び図４に示すように、複数の水抜き孔５８が形成されている。
【００４１】
蓋４の上壁部４ａにも、第１区画壁５４と同様に第２区隔壁６０が上壁部４ａと一体に形成されている。但し、第２区画壁６０は、蓋４を本体部２に取り付けた状態で、図３に示すように、第１区画壁５４よりも外方に位置するように配置されている。また、第２区画壁６０の先端は、この取り付け状態において、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂに接触している。従って、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂは、第１区隔壁５４、第２区画壁６０によって上下から挟持されている。
【００４２】
このアンテナ装置によれば、第１区隔壁５４、第２区画壁６０が形成されているので、このアンテナ装置を使用している状態において、蓋４と本体部２との接合面から雨などの水滴が本体部２内に侵入したとしても、第１区画壁５４、第２区画壁６０の設置位置よりも奥に水滴が侵入しにくくなり、電子回路によって構成されている指向性調整部５２までの水滴が侵入することは殆ど無い。特に、第２区画壁６０が第１区画壁５４よりも外側に設けられているので、本体部２内に侵入した水滴は、まず第２区画壁６０に接触し、第１区画壁５４よりも外側の底壁部２ａ側に落下し、底壁部２ａにある第１区画壁５４によってそれ以上、内側に入ることが阻止される。仮に、水滴が侵入したとしても、水抜き孔５８から本体部２の外部に水が抜けるので、水滴が本体部２内に滞留することがない。
【００４３】
また、第１区画壁５４は、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂの先端側に接触し、これらを支持している。従って、第１区画壁５４は、支持体としても機能しているので、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂの先端側に、第１区画壁５４と別に支持体を設ける必要がない。
【００４４】
また、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂは、第１区隔壁５４と第２区画壁６０によって、上下から挟持されているので、アンテナエレメント１４ａ、１４ｂ、１６ａ、１６ｂ、１８ａ、１８ｂ、２０ａ、２０ｂ、第１エレメント２４ａ、２４ｂ、２６ａ、２６ｂが移動することはない。
【００４５】
上記の実施形態では、ＵＨＦ帯用のダイポールアンテナとＶＨＦ帯用のダイポールアンテナとを設けたが、いずれか一方のアンテナのみを設けることもできる。また、上記の実施の形態では、指向性アンテナとしてダイポールアンテナを使用したが、八木形アンテナや折り返しダイポールアンテナ等の他の指向性アンテナを使用することもできる。また、上記の実施の形態では、第３及び第４の突状部４７ａ、４７ｂ、４９ａ、４９ｂを形成したが、いずれか一方のみを形成することができる。また、段部２９ａ、２９ｂでは、水平部を設けたが、これに代えて、斜め上方に伸びる傾斜部とすることもできる。また、本体部２及び蓋４は平面形状を概略八角形状としたが、これに限ったものではなく、他の形状とすることもできる。上記の実施形態では、第１区画壁５６と第２区画壁６０とを設けたが、第２区画壁６０を除去することも可能である。
【図面の簡単な説明】
【００４６】
【図１】本発明の１実施形態のアンテナ装置の分解斜視図である。
【図２】図１のアンテナ装置の一部を除去した状態の平面図である。
【図３】図１のアンテナ装置の縦断正面図である。
【図４】図１のアンテナの底面図である。
【図５】図１のアンテナ装置の部分拡大縦断正面図である。
【図６】図１のアンテナ装置の部分拡大斜視図である。
【符号の説明】
【００４７】
２  本体部
４  蓋
１４  １６  １８  ２０  ２４  ２６  ダイポールアンテナ（指向性アンテナ）
５２  指向調整部
５６  第１区画壁
６０  第２区画壁
【図１】
2006025110.tif 000003
【図２】
2006025110.tif 000004
【図３】
2006025110.tif 000005
【図４】
2006025110.tif 000006
【図５】
2006025110.tif 000007
【図６】
2006025110.tif 000008